(57)【要約】【課題】  軽量で製造施工が容易で、所要の防火性能を達成できる防火戸用の戸枠と、この戸枠を使用し、防火性能に優れ軽量な防火戸を提供する。【解決手段】  戸枠１０は、防火扉２０を開閉可能に支持し、防火扉２０の外周を囲む形状をしており、この戸枠は、断面が閉断面形状である内部空間を備えており、この内部空間内に薄板状の熱膨張性耐火材からなる耐火シート１２を挿入している。耐火シートは外殻部１１の前面部１１ａ、後面部１１ｅに密着して挿入されると好ましい。内部空間内に、耐火シートとともに、無機系材料１５、木質系材料１６、発泡材料として樹脂発泡体１７のいずれか１つ、あるいは複数を組み合わせて挿入してもよい。防火戸１は戸枠１０と防火扉２０とから構成される。【選択図】  図２
2005232860.tif 000002
【特許請求の範囲】
【請求項１】
防火扉を開閉可能に支持し、防火扉の外周を囲む形状の戸枠であって、該戸枠は、その内部空間内に薄板状の熱膨張性耐火材を挿入していることを特徴とする防火戸用の戸枠。
【請求項２】
前記熱膨張性耐火材は、前記戸枠の内周壁面に密着して挿入されていることを特徴とする請求項１に記載の防火戸用の戸枠。
【請求項３】
前記戸枠は、前記内部空間内に、前記熱膨張性耐火材とともに、無機系材料、木質系材料、発泡材料のいずれか１つ、あるいは複数を組み合わせて挿入していることを特徴とする請求項１または２に記載の防火戸用の戸枠。
【請求項４】
前記熱膨張性耐火材は、ブチルゴムを主成分とする樹脂分１００重量部に対して、リン化合物および熱膨張性無機物を１５〜３００重量部、無機充填剤を３０〜５００重量部含有し、前記熱膨張性無機物および無機充填剤の合計量が２００〜６００重量部含有する樹脂組成物からなる成形体であることを特徴とする請求項１〜３のいずれに記載の防火戸用の戸枠。
【請求項５】
前記熱膨張性耐火材は、エポキシ樹脂１００重量部に対して、熱膨張性無機物を１０〜３００重量部、無機充填剤を３０〜４００重量部含有し、前記熱膨張性無機物および無機充填剤の合計量が４０〜５００重量部含有する樹脂組成物からなる成形体であることを特徴とする請求項１〜３のいずれかに記載の防火戸用の戸枠。
【請求項６】
請求項１〜５のいずれかに記載の戸枠に前記防火扉を開閉可能に支持していることを特徴とする防火戸。
【発明の詳細な説明】
【技術分野】
【０００１】
本発明は、防火区画等の開口部に設置される防火戸用の戸枠と、これを使用した防火戸に係り、特に、防火性を向上できるとともに、重量を小さくでき施工が容易である防火戸用の戸枠と、この戸枠を使用した防火戸に関する。
【背景技術】
【０００２】
従来、この種の防火戸用の戸枠としては、図７ａに示すように、鉄製の戸枠５０の内部にロックウール５１を詰め込んだ形式のものがある。また、図７ｂに示すように、戸枠５０Ａの内部にモルタル５２を充填した形式のものがある。さらに、図７ｃに示すように、戸枠５０Ｂの内部にケイカル板５３を積層して挿入した形式のものがある。いずれの戸枠も防火扉５５を開閉可能に支持するものであり、図７ｃの防火扉５５内にはケイカル板５６を積層して挿入している。いずれの戸枠も、金属板材を成形した金属製型材を使用している。
【０００３】
また、従来の防火戸は、ドア及びドア枠の心材に無機質の耐火材を用い、前方ドアにアルミニウムからなる化粧材を取付けるとともに、前方ドア及びドア枠の間隙に熱感応型の発泡材を取付けて構成されている（例えば、特許文献１参照）。
【特許文献１】特開平６−１０５６９号公報（［０００４］）
【発明の開示】
【発明が解決しようとする課題】
【０００４】
ところで、前記図７ａに示す戸枠５０のように、ロックウール５１を成形された金属製型材からなる戸枠５０の内部空間に装填する場合は、図７ｂに示す戸枠５０Ａあるいは図７ｃに示す戸枠５０Ｂのように、モルタル５２やケイカル板５３を内部空間に装填した戸枠と比較すると重量の面で軽量化が図られるが、ロックウールがガラス系繊維材料のため製造者の健康上好ましくない。
【０００５】
また、図７ｂに示す戸枠５０Ａは、成形された金属製型材の内部にモルタル５２を充填して所定の防火性能を達成させていたが、モルタルが硬化するまでの養生期間を設けなければならず、硬化中の保管場所も必要であり製造方法が煩雑となる。さらに、戸枠５０Ａあるいは戸枠５０Ｂは、モルタルやケイカル板を成形された金属製型材の内部空間全部に装填しているため戸枠の重量が重くなり、戸枠を建築物の壁面に取付ける際に取り扱いが困難となる問題があった。
【０００６】
図７ａ、ｂ、ｃに示す戸枠５０，５０Ａ，５０Ｂのいずれの戸枠も、その製造方法は金属製型材を成形した後に、型材の内部空間内に防火材料を充填する必要があり、養生を含めて工程が煩雑となる。また、いずれの戸枠も、金属製型材の内部空間内に防火材料を充填しているため、断熱性に優れ加熱面に比べて非加熱面の温度上昇は極めて小さい。しかしながら、加熱面と非加熱面との温度差が大きいため、金属製型材の加熱面と非加熱面との線膨張の違いから加熱面側へ大きく反り、戸枠が変形する問題があった。
【０００７】
さらに、特許文献１に記載の防火戸は、ドア及びドア枠の内部に、心材として無機質の耐火材が充填されているため、前記の図７に示す戸枠５０，５０Ａ，５０Ｂと同様に、重量が重くなり、ドア枠を建築物の壁面に取付ける際に取り扱いが困難となるとともに、ドア枠にドアを取付ける際に取り扱いが困難であった。
【０００８】
本発明は、このような問題に鑑みてなされたものであって、その目的とするところは、
軽量で製造施工が容易であり、所要の防火性能を達成できる防火戸用の戸枠を提供することにある。また、前記の戸枠を使用し、防火性能に優れ、軽量で施工が容易な防火戸を提供することにある。すなわち、熱膨張性耐火材、および熱膨張性耐火材と無機系材料、木質系材料、発泡材料のいずれか一つ、あるいは複数を組み合わせたものを戸枠の内部空間に挿入し、軽量で製造方法が簡易でありながら所定の防火性能を付与できる戸枠を提供することにある。
【課題を解決するための手段】
【０００９】
前記目的を達成すべく、本発明に係る防火戸用の戸枠は、防火扉を開閉可能に支持し、防火扉の外周を囲む形状の戸枠であって、この戸枠は、その内部空間内に、火災時等の加熱で熱膨張する薄板状の熱膨張性耐火材を挿入していることを特徴とする。戸枠は鉄製あるいは鋼製で防火扉を支持できる強度を備え、外殻部に囲まれた内部が空間となっており、この内部空間に薄板状の熱膨張耐火材を挿入する。戸枠を構成する鉄板の外殻部は断面が閉断面形状であることが強度上好ましい。
【００１０】
戸枠を構成する金属としては、例えば鉄製、鋼製のもの以外にもステンレス、亜鉛メッキ鋼板、アルミ亜鉛合金メッキ鋼板、アルミニウム等の金属を成形したものが挙げられる。戸枠を構成する金属の厚みとしては、例えば建築基準法で定める特定防火設備では、鉄板で１．５ｍｍ以上と定められているが、熱膨張性耐火材料、熱膨張性耐火材料と無機系材料、木質系材料、発泡材料を組み合わせたものが型材の内部空間に挿入される本発明では、型材を構成する金属の厚みを小さくすることも可能となる。
【００１１】
前記のごとく構成された本発明の防火戸用の戸枠は、内部空間内に熱膨張性耐火材を挿入してあり、この熱膨張性耐火材は薄板状で内部空間には空隙が形成されるため、戸枠の軽量化を達成することができる。また、軽量であり、施工および製造が容易となる。この戸枠が火災等で加熱されると、内部空間に挿入された熱膨張性耐火材が膨張して内部空間を耐火性の断熱材で充填し、戸枠の加熱による反り等の変形を防止し、この戸枠に支持された防火扉とともに炎の進入を防止することができる。
【００１２】
また、本発明に係る防火戸用の戸枠の好ましい具体的な態様としては、前記熱膨張性耐火材は、戸枠の内周壁面に密着して挿入されていることを特徴としている。薄板状の熱膨張性耐火材を框材や、他の支持部材を介して挿入すると好適である。特に戸枠の前面部と後面部の内周壁面に、框材等を用いて熱膨張性耐火材を密着させると好ましい。接着剤や粘着剤を用いて密着させてもよい。この構成によれば、框材や、他の支持部材を介して薄板状の熱膨張性耐火材を戸枠の内壁面に対接させることができ、火災等の高温で速やかに膨張して戸枠の反り等の変形を確実に防止することができ、戸枠や防火戸の防火性能を安定させることができる。
【００１３】
さらに、本発明に係る防火戸用の戸枠の好ましい具体的な他の態様としては、前記した戸枠は、その内部空間内に、熱膨張性耐火材とともに、無機系材料、木質系材料、発泡材料のいずれか１つ、あるいは複数を組み合わせて挿入していることを特徴としている。前記複数の材料を積層して組み合わせ、積層された材料を挿入してもよい。この構成によれば、戸枠の内部空間に、無機系材料、木質系材料、発泡材料のいずれか１つ、あるいは複数を組み合わせて挿入しており、これらにより熱膨張性耐火材を安定した状態で支持できるため、軽量化できると共に、戸枠の反り等の変形を確実に防止できる。
【００１４】
戸枠の内部空間内に挿入される木質系材料としては、比重が０．３ｋｇ／ｍ３以上の材料が好ましい。これらの材料としてはヒノキ、マツ、ツガ、タモ、カエデ、ナラ、ニヤトー、マコレ、モアビ、ケヤキ、ブナ、ラワン、チーク、アトピン、カシ、マカンバ、メープル、ブビンガ等の無垢材が挙げられる。また、ＬＶＬ等の集成材、この集成材と前記の
無垢材と組み合わせて用いてもよい。これらの材料を組み合わせることにより、より反りが発生しにくくなるため好適に用いられる。
【００１５】
戸枠の内部空間内に挿入される発泡材料としては特に限定されず、例えばフェノールフォーム、ウレタンフォーム、ポリエチレンフォーム、ポリプロピレンフォーム、ポリスチレンフォーム等、さらにこれらのフォーム材料に水酸化アルミニウム等の無機粉体を充填したものを用いてもよい。さらには無機系の発泡材料等が挙げられる。
【００１６】
戸枠の内部空間内に挿入される無機系材料としては、石膏ボード、ケイ酸カルシウム板、繊維強化石膏ボード、軽量気泡コンクリート（ＡＬＣ）板、押出成形セメント板、ＰＣ板、成型モルタル、鉄、鋼、ステンレス、亜鉛メッキ鋼板、アルミ亜鉛合金メッキ鋼板、アルミニウム等の金属が挙げられる。
【００１７】
無機系材料、木質系材料、発泡材料は戸枠の軽量化を図るために戸枠内部に装填せず、戸枠内部の空隙の一部に挿入すればよい。また、ケイカル板等の無機系材料は所定の比重の高いものを戸枠内部に装填しなければ戸枠の防火性能を発揮できないが、熱膨張性耐火材料を同時に戸枠内部に挿入することにより、比重の低いものを使用しても戸枠の防火性能が発揮でき、かつ軽量化が図れる。
【００１８】
また、前記熱膨張性耐火材は特に限定されないが、ブチルゴムを主成分とする樹脂分１００重量部に対して、リン化合物および熱膨張性無機物を１５〜３００重量部、無機充填剤を３０〜５００重量部含有し、前記熱膨張性無機物および無機充填剤の合計量が２００〜６００重量部含有する樹脂組成物からなる成形体であると好ましい。さらに、前記熱膨張性耐火材は、エポキシ樹脂１００重量部に対して、熱膨張性無機物を１０〜３００重量部、無機充填剤を３０〜４００重量部含有し、前記熱膨張性無機物および無機充填剤の合計量が４０〜５００重量部含有する樹脂組成物からなる成形体であると好ましい。熱膨張性耐火材を、このように構成すると、火災等で高熱が発生したとき、戸枠内の熱膨張性耐火材は速やかに熱膨張し、火災の発生に対して安定した耐火断熱層を形成し、戸枠の反り等の変形を防止することができる。
【００１９】
本発明に係る防火戸は、前記した戸枠のいずれかの戸枠に、前記防火扉を開閉可能に支持していることを特徴とする。この戸枠に支持される防火扉も熱膨張性耐火材を挿入してあることが好ましい。このように構成された防火戸は、戸枠と、この戸枠に支持された防火扉がともに火災等で加熱されたときに変形することがないため、炎の進入を防止して延焼を確実に防止することができ、防火戸としての機能を確実とすることができる。
【発明の効果】
【００２０】
本発明によれば、防火戸用の戸枠や、この戸枠に防火扉を支持した防火戸が火災時等に加熱されたときの反り等の変形を小さくすることができ、炎の進入を防いで防火性能を安定させることができる。また、戸枠や、防火戸を軽量とすることができるため、製造が容易となり、施工を容易にすることができる。
【発明を実施するための最良の形態】
【００２１】
以下、本発明に係る防火戸用の戸枠と、これを使用した防火戸の一実施形態を図面に基づき詳細に説明する。図１は、本実施形態に係る防火戸の正面図、およびＡ−Ａ線に沿う断面図、図２は図１ｂの要部であるＢ部の拡大断面図である。図１，２において、防火戸１は、防火区画壁２の開口部に設けられ、区画３と区画４とを区切っている。
【００２２】
防火戸１は、戸枠１０と、この戸枠にヒンジ機構や蝶番５等を介して開閉可能に支持された防火扉２０とから構成され、戸枠１０は防火扉２０の外周を囲む形状をしている。戸
枠１０および防火扉２０は所定厚の鉄板等で形成され、特定防火設備の場合は、例えば鉄板の厚さが１．５ｍｍ以上であり、防火設備の場合は０．８ｍｍ以上〜１．５ｍｍ未満の板厚の鉄板を使用しており、鉄板は閉断面形状をしている。すなわち、戸枠１０は板金加工され、その端部が溶接等で接合されている。
【００２３】
戸枠１０は前記のような所定厚の鉄板を屈成して金属製型材の外殻部１１が形成され、防火扉の外周に位置する周囲枠部１１Ａと、この周囲枠部から内側に延出する突当て枠部１１Ｂとを備えている。周囲枠部１１Ａは正面から見たとき防火扉２０の外周と数ｍｍの隙間が形成される寸法となっており、突当て枠部１１Ｂは周囲枠部の内周より１０〜２０ｍｍ程度内側に延出し、防火扉２０が当接してそれ以上の揺動を阻止するものである。この実施形態では戸枠１０は閉断面形状をしており、内部にクローズされた空間が形成されており、鉄板で形成された外殻部１１の内部に空間が形成されている。
【００２４】
戸枠１０の断面形状について詳細に説明すると、防火扉２０の開き側、すなわち区画３に面する前面に位置する前面部１１ａと、この前面部から直角に後方に延出する奥行き部１１ｂと、この奥行き部から開口の内側に向けて延出する突当て部１１ｃと、この突当て部から後方に直角に延出する縁部１１ｄと、この縁部から直角に開口の外側に向けて延出し区画４に面する後面部１１ｅと、この後面部と前面部とを連結する外面部１１ｆとを備えて閉断面が構成され、内部空間が形成されている。
【００２５】
この内部空間に熱膨張性耐火材が薄板状に形成された耐火シート１２が挿入されている。耐火シート１２は前面部１１ａと後面部１１ｅの内面に密着した状態で、内部空間に挿入されている。すなわち、外殻部１１の前面部１１ａの内面と後面部１１ｅの内面に、例えば粘着剤や接着剤を介して密着する構成となっている。なお、図示していないが、樹脂板材、金属板材や框材等を外殻部の内部空間に挿入し、耐火シートを支持するように構成してもよい。
【００２６】
熱膨張耐火材から形成された耐火シート１２の肉厚は、その膨張率と、戸枠１０の内部空間の容積とにより設定され、基本的には加熱時に、耐火シート１２が膨張して外殻部１１の内部空間が膨張断熱材で充填される厚さに設定される。図２の実施形態では、厚さが１ｍｍ程度の熱膨張性耐火シートが２枚挿入されている。火災発生時には、戸枠１０の前面部１１ａまたは後面部１１ｅが直接熱を受けるため、この部分の内面に熱膨張性耐火シート１２を密着させることで、速やかに耐火シート１２を膨張させ、戸枠１０の変形を防止することができる。
【００２７】
この戸枠１０の場合、前記のように予め鉄板を屈成して金属製型材を形成しておき、その内部空間に耐火シート１２を挿入する代わりに、金属製型材にする前の段階で耐火シートを取付けることができる。すなわち、金属製型材の前後面に対応する個所に耐火シート１２，１２を貼着した鉄板を屈成して耐火シートを覆うようにして外殻部１１を形成して金属製型材とし、この金属製型材で戸枠１０を形成することができる。このように、予め金属製型材とする必要がなく、金属製型材にする前の平板の段階で耐火シートを取付けることができ、戸枠１０の製造が容易となる。
【００２８】
戸枠１０に開閉可能に支持される防火扉２０は、上辺、下辺、左辺、右辺の４辺を金属製の框材で連結して矩形の外周枠体２１と、この外周枠体の前方と後方に位置する鉄板２２，２２とを備えている。框材で構成された外周枠体２１と鉄板２２の固定は、例えばビス止め、リベット止め、接着剤を用いた固定等、適宜の手法を用いることができる。本実施形態では、鉄板２２は框材で構成された外周枠体２１の側面まで延出するように直角に屈成されている。前後の鉄板の屈成部分は溶接等により接合してもよく、図示していない他のコ字状の部材で覆うように構成してもよい。
【００２９】
防火戸１は前記のように戸枠１０にヒンジ機構や蝶番５を介して防火扉２０を支持しており、区画３方向に開閉できるものであるが、回転式のものに限らず、引戸式のものや両開き式の回転戸でもよい。防火戸と戸枠とが接する部分は隙間が形成されているが、この部分は図示していないが相じゃくりや、防火用のパッキング材等の戸当たりを用いて防火扉２０を閉鎖したとき、隙間が生じない構成とする。
【００３０】
つぎに、戸枠の他の態様について説明する。
図３に示す戸枠１０Ａの内部空間には、無機系材料として、ケイ酸カルシウム板（以下、ケイカル板という）１５と熱膨張耐火材から形成した耐火シート１２Ａとを積層した充填材を挿入している。すなわち、内部空間に断面が矩形の框材１４を挿入し、この框材と戸枠との隙間に耐火シート１２Ａとケイカル板１５とが密着状態で位置するように配置されている。このように、框材１４の内部には何もなく、框材の外面と戸枠１０Ａの内面で耐火シート１２Ａおよびケイカル板１５を挟んで保持して戸枠１０Ａの軽量化を達成している。図３の実施形態では、厚さが５〜１５ｍｍ程度のケイカル板１５，１５の外側に、厚さが０．５ｍｍ程度の熱膨張性耐火材の耐火シート１２Ａ，１２Ａが挿入されている。
【００３１】
この戸枠１０Ａの場合、前記のように予め鉄板から外殻部１１を屈成しておき、その内部空間に耐火シート１２Ａ，１２Ａとケイカル板１５を框材１４と共に挿入し、耐火シートを不燃材であるケイカル板と積層しているため、耐火シートの厚さを薄くすることができる。耐火シートの固定は、ビス止め、リベット止め等を用いることができるほか、粘着剤、接着剤等で固定することができ、耐火シートに予め粘着剤が積層されているものでもよい。耐火シートをケイカル板や木質系材料、発泡材料と組み合わせて複合して用いる場合は、複合体に固定した状態で挿入することもできる。この戸枠１０Ａは、前記の戸枠１０と同様に、戸枠の内部空間にロックウールやモルタルを充填するタイプと比較して、製造が容易で軽量に構成することができる。
【００３２】
図４に示す戸枠１０Ｂの内部空間には、木質系材料として、戸枠の内部に嵌合する木質棒材１６が挿入されている。この木質棒材は戸枠１０Ｂの前面部１１ａと、後面部１１ｅとには密着せず、僅かな隙間を有しており、この隙間部分に耐火シート１２，１２が挿入され、内部空間は木質棒材１６と耐火シート１２で充填されている。このように、耐火シートは戸枠１０Ｂの前面部１１ａと後面部１１ｅに内面に密着して挿入される。なお、木質棒材は図示のように、戸枠の突き当て部内には位置せず、断面が矩形状のものでもよい。この戸枠１０Ｂも、前記の戸枠１０，１０Ａと同様に戸枠の内部空間にロックウールやモルタルを充填するタイプと比較して、製造が容易で軽量に構成することができる。
【００３３】
図５に示す戸枠１０Ｃの内部空間には、発泡材料として樹脂発泡体１７と熱膨張耐火材の耐火シート１２，１２とを積層した充填材を挿入している。戸枠の内部空間の幅に合わせて発泡材料を形成し、発泡材料の前面と後面に耐火シートを貼り付け、戸枠１０Ｃの内部空間に挿入する。戸枠の外殻部１１を予め形成し、その内部空間内に、前面部１１ａと後面部１１ｅに密着するように耐火シート１２，１２を挿入し、その後、樹脂を注入して発泡させることができる。この戸枠１０Ｃは、前記の戸枠１０と比較して、さらに軽量とすることができ製造が容易で施工が容易となる。
【００３４】
前記の如く構成された本実施形態の防火戸用の戸枠、および防火戸の作用について以下に説明する。本実施形態の戸枠は防火区画壁の開口に設置される。例えば防火区画壁２がＡＬＣ板の場合、開口に沿って固定された鉄製アングルと戸枠とを鉄筋を介して溶接し、隙間部分にモルタルを注入して固定する。防火区画壁が他の形態、例えばコンクリート壁や他の壁の場合には、適宜の固定方法を適用する。そして、このように固定された戸枠１０等に対して、ヒンジ機構や蝶番５等を介して防火扉２０を開閉可能に支持する。
【００３５】
防火区画で区切られた空間３，４の一方で火災が発生すると、防火戸１は他方の空間への炎の進入を阻止する。すなわち、火災の高熱で戸枠１０等が加熱されると、内部空間に挿入されている熱膨張性耐火材の耐火シート１２が膨張し、内部空間を充填して耐火断熱層を形成する。この耐火断熱層は、例えば２〜５０倍程度に膨張し、戸枠の変形を防止するので、反り等が発生しない。戸枠の外殻部１１が閉断面であると、耐火シート１２が熱膨張したとき断面の開いている部分が拡開することがなく戸枠１０等の変形と戸枠の防火区画壁２との剥離等が防止される。
【００３６】
このように戸枠１０等の変形が防止されるため、火災が発生した一方の区画から他方の区画への炎の進入が確実に防止される。戸枠１０等と防火扉２０との隙間は、戸当たりや防火用のパッキングにより封止され、炎の進入を防止する。なお、図示していないが、戸枠に支持された防火扉２０の内部空間にも熱膨張耐火材から成形した薄板状の耐火シートを挿入すると、火災時にこの耐火シートが膨張し、防火扉２０の変形や潰れが防止され、戸枠１０等とその内側に支持された防火扉２０の双方の変形が防止され、両者の隙間部分が一定に保たれるので、より防火性能が向上する。
【００３７】
耐火シート１２が戸枠１０等の内部壁面に密着していると、鉄製の戸枠から直接熱伝導により熱が伝達されるため、火災発生から速やかに熱膨張し、しかも内部空間の前面側または後面側から内部に向かって熱膨張するため、戸枠内壁近傍に空隙が発生することがなく、戸枠の変形を確実に防止できる。また、加熱により戸枠の内部空間内に位置する框材、木質系材料、発泡材料が焼失しても、熱膨張性耐火材が外側から覆うように膨張するため戸枠１０等の変形が防止される。
【実施例１】
【００３８】
エポキシ樹脂（ジャパンエポキシレジン社製「Ｅ８０７」）４０重量部、硬化剤（ジャパンエポキシレジン社製「ＦＬ０５２」）６０重量部、ポリリン酸アンモニウム（Ｃｌａｒｉａｎｔ社製「Ｅｘｏｌｉｔ  ＡＰ４２２」１００重量部、熱膨張性黒鉛（東ソー社製「ＧＲＥＰ−ＥＧ」）１００重量部、炭酸カルシウム（備北粉化工業社製「ＢＦ３００」）１００重量部を混錬ロールを用いて混練し、樹脂組成物を得た。得られた樹脂組成物を、ロールコーターにて片面にポリエチレンラミネートポリエステル不織布を積層させながらシート状に成形した後、加熱炉にて硬化させ、厚み１ｍｍのシート状成形体（耐火シート１２）を得た。その後、この耐火シート１２に粘着層を塗工して幅４０ｍｍに切断し、１．６ｍｍ厚の鉄板から成形された戸枠１０の内部空間に挿入し、前面部１１ａおよび後面部１１ｅに粘着層を介して密着させた。この戸枠１０に１．６ｍｍ厚の鉄板を使用した防火扉２０を支持させて、図２に示すような鋼製防火戸を作製した。
【実施例２】
【００３９】
ブチルゴム（エクソンモービルケミカル社製「ブチルゴム０６５」）４２重量部、ポリブテン（出光石油化学社製「ポリブテン１００Ｒ」）５０重量部、水添石油樹脂（トーネックス社製「エスコレッツ５３２０」）８重量部、熱膨張性黒鉛（東ソー社製「ＧＲＥＰ−ＥＧ」）１２０重量部、水酸化アルミニウム（ＡＬＣＯＡ社製「Ｂ３２５」）３０重量部、炭酸カルシウム（備北粉化工業社製「ＢＦ３００」）１５０重量部を含有する樹脂組成物を混錬ロールを用いて混練し、樹脂組成物を得た。その後、この樹脂組成物をプレスにより厚み２ｍｍに成形し、空洞の幅に応じ４０ｍｍ幅に輪切り機にて輪切りを行い、テープ状成形体（耐火シート１２）を得た。テープ状成形体を樹脂組成物の自己粘着性を利用して、成形前の鉄板に貼付した。テープ状成形体が貼付された鉄板を屈成し戸枠を作製した。この戸枠１０に１．６ｍｍ厚の鉄板を使用した防火扉２０を支持させて、図２に示すような鋼製防火戸を作製した。
【実施例３】
【００４０】
エポキシ樹脂（ジャパンエポキシレジン社製「Ｅ８０７」）４０重量部、硬化剤（ジャパンエポキシレジン社製「ＦＬ０５２」）６０重量部、ポリリン酸アンモニウム（Ｃｌａｒｉａｎｔ社製「Ｅｘｏｌｉｔ  ＡＰ４２２」１００重量部、熱膨張性黒鉛（東ソー社製「ＧＲＥＰ−ＥＧ」）１００重量部、炭酸カルシウム（備北粉化工業社製「ＢＦ３００」）１００重量部を混練ロールを用いて混錬し、樹脂組成物を得た。得られた樹脂組成物を、ロールコーターにて片面にポリエチレンラミネートポリエステル不織布を積層させながらシート状に成形した後、加熱炉にて硬化させ、厚み１ｍｍのシート状成形体（耐火シート１２Ａ）を得た。その後、この耐火シート１２Ａを幅４０ｍｍに切断し、厚さ６ｍｍのケイカル板１５にタッカーで固定したもの、及び０．８ｍｍ厚の框材を０．８ｍｍ厚の鉄板から成形された戸枠１０Ａの内部空間に、耐火シートが前面部１１ａおよび後面部１１ｅに密着する状態で挿入した。この戸枠１０Ａに１．６ｍｍ厚の鉄板を使用した防火扉２０を支持させて、図３に示すような鋼製防火戸を作製した。
【００４１】
比較例
図７ｃに示すように、厚さ１２．５ｍｍのケイ酸カルシウム板を積層したものを戸枠および扉の芯材として使用し、１．６ｍｍ厚の鉄板を使用した鋼製防火戸を作製した。
【００４２】
幅１ｍ高さ２ｍの鋼製防火戸を作製し、ＩＳＯ  ８３４の加熱条件に従い、１時間耐火試験を実施したところ、実施例１，２，３の鋼製防火戸は非加熱側へ１０秒を超えて継続する火炎の噴出、非加熱面で１０秒を超えて継続する発炎および火炎が通る亀裂等の損傷、および隙間の発生は確認されなかった。
これに対して、比較例の鋼製防火戸は試験開始５７分で防火扉が加熱側へ大きく反り、火炎が通り隙間が発生した。
【００４３】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、戸枠を構成する鉄板等の金属板材は、閉断面形状を有する例を示したが、図６に示すような開断面形状でもよいことは勿論である。
【００４４】
図６の戸枠１０Ｄは、防火区画壁への取付側が開口している外殻部１１Ａを備えており、外殻部の内部空間内に同様に開口する框材１３Ａを挿入し、この框材と外殻部との隙間に耐火シート１２を位置させている。このような開断面形状を有する戸枠の場合、防火区画壁等に固定するとき、モルタル等を戸枠の内部に進入させることができ、内部に挿入された熱膨張性耐火シートと共に耐火性を向上させることができる。また、戸枠の内部空間に耐火シートを挿入する例として、前後の面に密着して挿入する例を示したが、他の面に沿わせて挿入してもよい。
【００４５】
無機充填剤として炭酸カルシウムと、水酸化アルミニウムの例を示したが、これに限られるものでなく例えばアルミナ、酸化亜鉛、酸化チタン、酸化カルシウム、酸化マグネシウム、酸化鉄、酸化錫、酸化アンチモン、フェライト類等の金属酸化物や、水酸化カルシウム、水酸化マグネシウム、水酸化アルミニウム、ハイドロタルサイト等の含水無機物、炭酸バリウム等の金属炭酸塩、ケイ酸カルシウム等のカルシウム塩等、各種の無機充填剤を使用することができる。
【００４６】
前記の無機充填剤は、単独で用いても、２種以上を併用してもよい。前記の無機充填剤のうち、特に含水無機物と金属炭酸塩の併用が好ましい。含水無機物と金属炭酸塩は、骨材的な働きをするところから、燃焼残渣の強度向上や熱容量の増大に寄与するものと考えられる。前記の無機充填剤の粒径としては、０．５〜１００μｍが好ましく、より好まし
くは１〜５０μｍである。また、前記無機充填剤は、粒径の大きいものと粒径の小さいものを組み合わせて使用することがより好ましい。
【図面の簡単な説明】
【００４７】
【図１】本発明に係る防火戸の一実施形態を示し、（ａ）は正面図、（ｂ）はＡ−Ａ線断面図。
【図２】図１ｂのＢ部拡大断面図。
【図３】図２の他の態様の要部断面図。
【図４】図２のさらに他の態様の要部断面図。
【図５】図２のさらに別の態様の要部断面図。
【図６】戸枠の他の態様を示す断面図。
【図７】従来の防火戸の戸枠と防火扉との関係を示す要部断面図。
【符号の説明】
【００４８】
１：防火戸、１０，１０Ａ，１０Ｂ，１０Ｃ，１０Ｄ：戸枠、１１，１１Ａ：外殻部（金属製型材）、１２，１２Ａ：耐火シート（熱膨張性耐火材）、１３Ａ，１４：框材、１５：ケイ酸カルシウム板（無機系材料）、１６：木質棒材（木質系材料）、１７：樹脂発泡体（発泡材料）、２０：防火扉、２１：外周枠体、２２：鉄板
【図１】
2005232860.tif 000003
【図２】
2005232860.tif 000004
【図３】
2005232860.tif 000005
【図４】
2005232860.tif 000006
【図５】
2005232860.tif 000007
【図６】
2005232860.tif 000008
【図７】
2005232860.tif 000009